(57)【要約】【課題】  シンクの使い勝手を向上させたキッチンキャビネットを提供する。【解決手段】  キャビネット本体２内の上部においてシンク４の前面壁４ａからキャビネット本体２の前面開口を経てカウンター３の前縁まで連通する空所５を形成する。少なくとも前方に開口せる収納用ハウジング６を上記空所５内に配設する。収納用ハウジング６の背面壁２０をキャビネット本体２の前面より後退させてシンク４の前面壁４ａに近接させて配置する。収納用ハウジング６の前方開口６ａを開閉する蓋体７を収納用ハウジング６の下端に前後方向に回動自在にして枢支する。収納物を収納するための上方に開口せる収納容器８を蓋体７と収納用ハウジング６との間に前後方向に回動自在にして内装する。【選択図】        図１
2006334249.tif 000002
【特許請求の範囲】
【請求項１】
前面開口及び上面開口を有するキャビネット本体にカウンターを載置し、このカウンターの前縁をキャビネット本体の前面から前方に突出するように配置し、カウンターに設けたシンクをキャビネット本体の上面開口からキャビネット本体内に挿入し、このシンクの前面壁をキャビネット本体の前面から後退した位置に位置させてキャビネット本体の前面開口に対向させるように配設し、キャビネット本体内の上部においてシンクの前面壁からキャビネット本体の前面開口を経てカウンターの前縁まで連通する空所を形成し、少なくとも前方に開口せる収納用ハウジングを上記空所内に配設し、この収納用ハウジングの背面壁をキャビネット本体の前面より後退させてシンクの前面壁に近接させて配置し、収納用ハウジングの前方開口を開閉する蓋体を収納用ハウジングの下端に前後方向に回動自在にして枢支し、収納物を収納するための上方に開口せる収納容器を蓋体と収納用ハウジングとの間に前後方向に回動自在にして内装したことを特徴とするキッチンキャビネット。
【請求項２】
収納用ハウジングの前方開口を開放させた状態の蓋体における鉛直方向に対する傾斜角度を、前方へ回動させた状態の収納容器における鉛直方向に対する傾斜角度より大きくし、収納用ハウジングを開放した蓋体の回動先端とカウンターの前縁との間にできる出し入れ口の略中央に向けて、前方に回動した収納容器の上方開口を向けるようにしたことを特徴とする請求項１記載のキッチンキャビネット。
【請求項３】
蓋体の下部と収納用ハウジングの前端部の下端とにそれぞれ設けた枢支部にて蓋体と収納用ハウジングとを枢支連結し、蓋体の下端から後方に延出したフランジ壁を収納用ハウジングよりも下方に位置させ、上記フランジ壁と収納用ハウジングの枢支部より後方の下面部位とを蓋体の開閉に応じて接離するようにし、上記接離する蓋体のフランジ壁と収納用ハウジングの下面部位との間に、少なくとも蓋体が収納用ハウジングの前方開口を開放した状態で圧縮される弾性部材を介装したことを特徴とする請求項１または２記載のキッチンキャビネット。
【請求項４】
蓋体の前面を、キャビネット本体の下部に配設された引出し装置や扉の前面位置よりも前方に突出させたことを特徴とする請求項１乃至３のいずれかに記載のキッチンキャビネット。
【請求項５】
蓋体の前面とカウンターの前縁とを略面一の垂直面上に位置させたことを特徴とする請求項４に記載のキッチンキャビネット。
【発明の詳細な説明】
【技術分野】
【０００１】
本発明は、キッチンキャビネットに関するものである。
【背景技術】
【０００２】
従来から、シンクが配設されるキッチンキャビネットは、キャビネット本体の前面に引出しや扉等を設けてキャビネット本体の内部に調理器具等の収納スペースを設けることが行われているのであるが、キャビネット本体に載置されたカウンターから凹没されてキャビネット本体内に配設されるシンクは作業性向上の観点からキャビネット本体に対してできるだけ容積が大きくなるように形成されるものであって、キャビネット本体内におけるシンクの前側部位は鍋等の調理器具が収納できない程の狭小空間となり、しかして、このキャビネット本体内におけるシンクの前側部位はデッドスペースとされていて、キャビネット本体の前面にはシンクの目隠しのための幕板を設けているのが一般的である。
【０００３】
ところで、近年ではキッチンキャビネットの収納率の向上が望まれるようになり、たとえば図４のように、従来デッドスペースとなっていたシンク４の前側部位に包丁用の収納スペースｓを設けたキッチンキャビネット１が開発されている（たとえば特許文献１参照）。詳しくは、このキッチンキャビネット１は、従来のキッチンキャビネットと同様に幕板５０が設けられたものであり、幕板５０の前面に被せるようにカバー材５１がキャビネット本体２に回動自在に設けられ、このカバー材５１の内部に包丁用の収納スペースｓを設けるようにしている。
【０００４】
しかしながら、シンク４で直接使用される物としては包丁よりも洗剤が考えられるのであり、シンク４の前側部位に洗剤が収納できればシンク４の使い勝手が向上するのは明らかであるが、図４のカバー材５１の内部に設けた収納スペースでは包丁のような薄手の収納物のみが収納可能であって、つまりシンク４で使用される洗剤ボトル等の比較的厚みのある収納物は収納できるものではないことから、シンク４の使い勝手の向上は充分に図られたものではない。
【特許文献１】特開平１１−４６８９５号公報
【発明の開示】
【発明が解決しようとする課題】
【０００５】
本発明は上記の従来の問題点に鑑みて為したものであって、シンクの使い勝手を向上させたキッチンキャビネットを提供することを課題とするものである。
【課題を解決するための手段】
【０００６】
上記課題を解決するために本発明の請求項１に係るキッチンキャビネットは、前面開口及び上面開口を有するキャビネット本体２にカウンター３を載置し、このカウンター３の前縁をキャビネット本体２の前面から前方に突出するように配置し、カウンター３に設けたシンク４をキャビネット本体２の上面開口からキャビネット本体２内に挿入し、このシンク４の前面壁４ａをキャビネット本体２の前面から後退した位置に位置させてキャビネット本体２の前面開口に対向させるように配設し、キャビネット本体２内の上部においてシンク４の前面壁４ａからキャビネット本体２の前面開口を経てカウンター３の前縁まで連通する空所５を形成し、少なくとも前方に開口せる収納用ハウジング６を上記空所５内に配設し、この収納用ハウジング６の背面壁２０をキャビネット本体２の前面より後退させてシンク４の前面壁４ａに近接させて配置し、収納用ハウジング６の前方開口６ａを開閉する蓋体７を収納用ハウジング６の下端に前後方向に回動自在にして枢支し、収納物を収納するための上方に開口せる収納容器８を蓋体７と収納用ハウジング６との間に前後方向に回動自在にして内装したことを特徴とする。
【０００７】
これによると、キャビネット本体２内に配設されるシンク４の前側部位には、幕板５０で遮断されずに、シンク４の前面壁４ａからキャビネット本体２の前面開口を経てカウンター３の前縁に至る空所５を形成することができ、そしてこの空所５に背面壁２０をキャビネット本体２の前面より後退させてシンク４の前面壁４ａに近接する位置に位置させた収納用ハウジング６を配設し、この収納用ハウジング６にその前方開口６ａを開閉する蓋体７を設けると共に、収納用ハウジング６と蓋体７との間に収納容器８を設けたことで、従来デッドスペースとされたり包丁のような薄手の収納物しか収納できなかったシンク４の前側部位に対して比較的厚みのある洗剤ボトル等の収納物を収納できる収納スペースＳを設けることができる。また、収納用ハウジング６の前方開口６ａを蓋体７で開放した状態では、前方に傾いた蓋体７の回動先端とカウンター３の前縁との間の空間が収納用ハウジング６の前方開口６ａに連通する出し入れ口Ｂとなるのであるが、このとき収納容器８を前方に回動させることで収納容器８の上方開口８ａを上記出し入れ口Ｂに対して向けることができ、上記出し入れ口Ｂを通して特にカウンター３の前縁に邪魔されずに容易に収納物を収納容器８に出し入れすることができる。このようにシンク４の前側部位には、シンク４で直接使用される洗剤ボトル等の比較的厚みのある収納物を収納できるのであって、更にその出し入れも容易であることから、シンク４の使い勝手が大幅に向上できるのである。
【０００８】
また、請求項２に係るキッチンキャビネットは、請求項１において、収納用ハウジング６の前方開口６ａを開放させた状態の蓋体７における鉛直方向に対する傾斜角度α１を、前方へ回動させた状態の収納容器８における鉛直方向に対する傾斜角度α２よりも大きくし、収納用ハウジング６を開放した蓋体７の回動先端とカウンター３の前縁との間にできる出し入れ口Ｂの略中央に向けて、前方に回動した収納容器８の上方開口８ａを向けるようにしたことを特徴とする。これによると、蓋体７及びカウンター３の前縁に邪魔されずに収納物を出し入れ口Ｂから収納容器８に容易に出し入れでき、シンク４の使い勝手をより向上できる。
【０００９】
また、請求項３に係るキッチンキャビネットは、請求項１または２において、蓋体７の下部と収納用ハウジング６の前端部の下端とにそれぞれ設けた枢支部にて蓋体７と収納用ハウジング６とを枢支連結し、蓋体７の下端から後方に延出したフランジ壁３５を収納用ハウジング６よりも下方に位置させ、上記フランジ壁３５と収納用ハウジング６の枢支部より後方の下面部位とを蓋体７の開閉に応じて接離するようにし、上記接離する蓋体７のフランジ壁３５と収納用ハウジング６の下面部位との間に、少なくとも蓋体７が収納用ハウジング６の前方開口６ａを開放した状態で圧縮される弾性部材１０を介装したことを特徴とする。これによると、蓋体７が収納用ハウジング６の前方開口６ａを開放した際には圧縮された弾性部材１０の弾性反力によって蓋体７を閉塞する方向に付勢することができ、収納用ハウジング６の前方開口６ａを開放した蓋体７を衝撃無く止めることができると共に、収納用ハウジング６の前方開口６ａを蓋体７で閉塞するために使用者が蓋体７にかける力を軽減することができる。
【００１０】
また、請求項４に係るキッチンキャビネットは、請求項１乃至３のいずれかにおいて、蓋体７の前面を、キャビネット本体２の下部に配設された引出し装置１６や扉の前面位置よりも前方に突出させたことを特徴とする。これによると、キッチンキャビネット１の前方隣接位置に立つ使用者は、身体の脚の高さ位置に相当するキャビネット本体２の下部に配設された引出し装置１６や扉にはその身体を当てることなく、身体の腰の高さ位置に相当する蓋体の前面に身体を当てることができるのであり、腰をかけるような前傾姿勢でキッチンキャビネット１に凭れるようにでき、楽な作業姿勢を得ることができる。
【００１１】
また、請求項５に係るキッチンキャビネットは、請求項４において、蓋体７の前面とカウンター３の前縁とを略面一の垂直面上に位置させたことを特徴とする。これによると、楽な作業姿勢を得るために使用者がキッチンキャビネット１に凭れた場合に、カウンター３の前縁のみに身体が当たって局所的に身体が押圧されることが回避されるのであり、より楽な姿勢で作業を行うことができる。
【発明の効果】
【００１２】
本発明は、従来デットスペースとされたり包丁のような薄手の収納物しか収納できなかったシンクの前側部位に、シンクで直接使用される洗剤ボトルのような比較的厚みのある収納物を収納させることができるのであって、更にその出し入れも容易にしたことから、シンクの使い勝手を大幅に向上できるといった利点を有する。
【発明を実施するための最良の形態】
【００１３】
以下、本発明を添付図面に示す実施形態に基いて説明する。
【００１４】
本例のキッチンキャビネット１は、図３のように、幅方向両端の両側板１１、底板１２及び背板１３を矩形状に組み上げてその内部に前面開口及び上面開口を有する中空空間を形成したキャビネット本体２と、このキャビネット本体２の上面に上面開口を閉塞するように載置固定したカウンター３とで構成されている。このキャビネット本体２の中空空間は適宜垂直板１４や水平板１５によって区分けされ、この区分けされた各空間には開閉扉や引出し装置１６やビルトイン式の食器洗い乾燥機１７等が配設され、キャビネット本体２内の中空空間を収納スペースや機器配設スペースとして利用している。また、カウンター３はその前縁がキャビネット本体２の前面（側板１１や垂直板１４の前端面）よりも前方に突出されており、このカウンター３の前縁には下方に垂下する垂下縁部３０が形成されている。カウンター３の下面には矩形状に枠組みされた裏桟材３１が固定されていて、キャビネット本体２と裏桟材３１とを固定することで、カウンター３がキャビネット本体２に載置固定されている。
【００１５】
このキッチンキャビネット１にはビルトイン式の調理機器１８やシンク４が配設されている。ビルトイン式の調理機器１８やシンク４はそれぞれカウンター３に穿設した開口３ａに臨ませるようにしてカウンター３に取り付けられ、キャビネット本体２の上面開口からキャビネット本体２内に挿入されてキャビネット本体２内の中空空間の上部位置に配設されている。なお、シンク４はカウンター３と一体に形成される場合もあるが、この場合も同様にキャビネット本体２内の中空空間の上部位置（以下、シンク収納部９と称する）に配設されている。詳しくは、このシンク収納部９に配設されたシンク４にあっては、その前面壁４ａがキャビネット本体２の前面よりも後退した位置に位置されていると共に、キャビネット本体２の前面開口に対向するように臨んでいる。背景技術で説明したように、通常、シンク収納部９におけるシンク４の前側部位（シンク４の前面壁４ａより前方の部位）はデッドスペースとされ、キャビネット本体２内に配設されたシンク４を前方から目隠しするための幕板５０が設けられるのであるが、本例のキッチンキャビネット１では図１及び２のように、幕板５０を設けることを行わず、そのためシンク収納部９におけるシンク４の前側部位にあっては、シンク４の前面壁４ａからキャビネット本体２の前面開口を経てカウンター３の前縁まで連通する空所５が形成されており、この空所５に収納ユニット１９を配設して収納スペースＳとして利用するようにされている。
【００１６】
上記収納ユニット１９は、前方開口６ａを有する収納用ハウジング６と、収納用ハウジング６に取り付けられて収納用ハウジング６の前方開口６ａを開閉する蓋体７と、収納用ハウジング６と蓋体７との間に内装されて収納物を挿入する収納容器８とで構成されている。
【００１７】
収納用ハウジング６は、背面壁２０の上端から前方に天面壁２１を突設すると共に背面壁２０の下端から前方に底面壁２２を突設してなる縦断面略コ字状の長尺の枠材であって、底面壁２２と天面壁２１との間に背面壁２０に対向する前方開口６ａが形成されている。詳しくは、背面壁２０は上方程前方に位置するように斜めに傾斜している。また、天面壁２１にはその前端に垂下フランジ２３が垂設され、垂下フランジ２３の前面には蓋体７の戸当たりとなるパッキン４７が付設されており、天面壁２１の上面には蓋体７を止める蓋止部材２４が高さ調節ビス４８にて高さ調節自在に積層固定されている。本例の蓋止部材２４は垂下フランジ２３よりも突出した前端部位に下方に突出する閉塞用突部２５が形成されている。また、底面壁２２の前端には枢支部が形成されている。この枢支部は、底面壁２２の前端から前方且つ下方に向けて突設した突出傾斜片２６の突出先端に設けた断面円状の軸部２７で構成されている。また、底面壁２２の下面からは下方に一対の脚片２８が前後に並んで垂設されている。
【００１８】
この収納用ハウジング６は、シンク４の下方に設けられてキャビネット本体２内の中空空間をシンク収納部９として仕切る水平板１５に脚片２８を載せ、背面壁２０にＬ字金具２９の一片２９ａをビス等の固着具３２にて固定し、このＬ字金具２９の他片２９ｂをキャビネット本体２のシンク収納部９を構成する側板１１や垂直板１４にビス等の固着具３３にて固定することで、キャビネット本体２に取り付けられている。このときには、キャビネット本体２の前面と略面一に垂下フランジ２３が配置され、蓋止部材２４の閉塞用突部２５及び底面壁２２の枢支部がカウンター３の前縁とキャビネット本体２の前面との間に配置され、そして、背面壁２０がキャビネット本体２の前面より後退されてシンク４の前面壁４ａに沿うように近接されて配置されている。なお、本例では天面壁２１及び蓋止部材２４がカウンター３の垂下縁部３０の下端と略同高さに位置され、キャビネット本体２内のシンク４の目隠しがされている。
【００１９】
蓋体７は、前端に位置する垂直板状の正面壁３４とこの正面壁３４の側縁に亙って後方に突出したフランジ壁３５とで後方開口７ａを有する容器状の主体部３６が形成され、この主体部３６の上方に把手部３７が一体に設けられて構成されている。把手部３７は、主体部３６の上部のフランジ壁３５の後端から垂直上方に立ち上がる立ち上がり片３８と、立ち上がり片３８の上端から前方に突出されると共にその突出先端が下方に折り曲げられた指引掛け片３９とで、前方に開口して後方に凹む形状に形成されている。なお、指引掛け片３９の上面の後部には蓋止部材２４の閉塞用突部２５が係止される閉塞用凹部４０が形成されている。また、主体部３６の下部のフランジ壁３５と正面壁３４との内コーナ部には枢支部が設けられており、この枢支部は後方に開口せる断面Ｃ字溝状の軸受部４１で構成されている。また、この主体部３６の下部のフランジ壁３５における後部の上面には上方に開口せるリップ片付きコ字溝状の凹所４２が形成されており、この凹所４２に弾性部材１０が取り付けられている。弾性部材１０は内部が中空とされた山形状のゴム部材で構成されており、この弾性部材１０はその下部を凹所４２に挿入し、前後からリップ片４２ａに係止された状態で凹所４２に取り付けられている。
【００２０】
この蓋体７は、主体部３６の正面壁３４の軸受部４１に収納用ハウジング６の軸部２７を嵌め込むことで、主体部３６の下部のフランジ壁３５が収納用ハウジング６よりも下方に位置された状態で、収納用ハウジング６の前方開口６ａを開閉するように収納用ハウジング６に回動自在に取り付けられるのであって、収納用ハウジング６と蓋体７との間の空間が収納スペースＳとして利用可能にされているのである。
【００２１】
蓋体７が収納用ハウジング６の前方開口６ａを閉塞したときには、図２のように、収納用ハウジング６の前方開口６ａに蓋体７の後方開口７ａが対面するように蓋体７が略垂直に立つ状態とされ、蓋体７の立ち上がり片３８の後面が収納用ハウジング６に付設したパッキンに当接されると共に蓋止部材２４の閉塞用突部２５が蓋体７の閉塞用凹部４０に係止されることで、その閉塞状態が維持されるようになっている。この蓋体７の収納用ハウジング６への閉塞強度は蓋止部材２４の高さ調節による閉塞用突部２５の閉塞用凹部４０への係止強度の調節によって容易に調節可能にされている。
【００２２】
そして、この蓋体７が収納用ハウジング６の前方開口６ａを閉塞した状態では、正面壁３４が構成する蓋体７の前面が、キャビネット本体２の下部に配設された引出し装置１６や扉の前面位置よりも前方に突出されている。しかして、キッチンキャビネット１の前方の隣接位置に立つ使用者は、身体の脚の高さ位置に相当するキャビネット本体２の下部に配設された引出し装置１６や扉にはその身体を当てることなく、身体の腰の高さ位置に相当する蓋体の前面に身体を当てることができるのであり、腰をかけるような前傾姿勢でキッチンキャビネット１に凭れるようにでき、楽な作業姿勢を得ることができるようになっている。更に言うと、本例では、蓋体７の前面とカウンター３の前縁の端面とが略面一の垂直面上に位置されている。これにより、上述のように楽な作業姿勢を得るために使用者がキッチンキャビネット１に凭れた場合には、略面一の垂直面上に位置された蓋体７の前面及びカウンター３の前縁の端面に身体を当てることができ、つまりカウンター３の前縁のみに身体が当たって局所的に身体が押圧されることが回避されるのであり、より楽な姿勢で作業を行うことができるようにされており、キッチンキャビネット１の使い勝手が向上されている。
【００２３】
ところで、収納スペースＳとして利用される収納用ハウジング６と蓋体７との間の空間は、詳しくは収納用ハウジング６の背面壁２０の前面から蓋体７の正面壁３４の後面までの奥行きを有する空間であって、上述のように収納用ハウジング６の背面壁２０はシンク４の前面壁４ａに沿うように配置されていると共に蓋体７の正面壁３４はカウンター３の前縁と略面一に位置するのであり、すなわち、幕板５０を設けないことで得られたシンク４の前面壁４ａからキャビネット本体２の前面開口を経てカウンター３の前縁に至る空所５の奥行きと、略同等の奥行き寸法を有するようにできたものである。このように、従来デッドスペースとされたり包丁のような薄手の収納物しか収納できなかったシンク４の前側部位に対し、比較的厚みのある洗剤ボトル等の収納物を収納できる収納スペースＳを設けることができたのである。
【００２４】
また、使用者が把手部３７の指引掛け片３９に指を引っ掛けて前方に引っ張るようにすることで蓋体７は収納用ハウジング６の前方開口６ａを開放することができ、このときには図１のように、蓋体７の上端が構成する回動先端とカウンター３の前縁との間に、収納用ハウジング６の前方開口６ａに連通して上記収納スペースＳに収納物を出し入れできる出し入れ口Ｂができるのである。また、収納用ハウジング６の前方開口６ａを開放した蓋体７は、主体部３６の下部のフランジ壁３５の後端が収納用ハウジング６の底面壁２２の下面に当接されて、上端程前方に位置するように傾斜した状態で止まるようになっている。ここで、蓋体７が収納用ハウジング６の前方開口６ａを開閉する際には、上下に対面する主体部３６の下部のフランジ壁３５の上面と収納用ハウジング６の底面壁２２の下面とが蓋体７の開閉に応じて近接・離間するようになっており、この近接・離間する蓋体７のフランジ壁３５と収納用ハウジング６の下面との間には蓋体７に付設された弾性部材１０が介装されている。この弾性部材１０は少なくとも蓋体７が収納用ハウジング６の前方開口６ａを開放した状態で圧縮されるようになっており、圧縮に伴って生じる弾性反力を蓋体７に対してその閉塞方向に付勢できるようにされている。しかして、この弾性部材１０によると、収納用ハウジング６の前方開口６ａを開放した蓋体７をその最大開放位置で衝撃無く止めるようにできるのであり、また収納用ハウジング６の前方開口６ａを閉塞しようとするために使用者が蓋体７を上方に回動操作する力を軽減することができるようになっている。
【００２５】
また、収納容器８は、底壁４３の外縁に亙って側壁４４を立設させてなる上方開口８ａを有するボックス状の容器であって、底壁４３の奥行き方向の略中央部分の下面から下方に軸受部４５が突設されており、この軸受部４１に収納用ハウジング６の底面壁２２の上面から上方に突設させた軸部４６を軸支させることで、前後方向に回動自在にされて収納用ハウジング６と蓋体７との間に内装されている。この収納容器８は、蓋体７で収納用ハウジング６の前方開口６ａを閉塞したときには、図２のように蓋体７の正面壁３４の後面と収納用ハウジング６の背面壁２０の前面とで挟持されるようになり、蓋体７で収納用ハウジング６の前方開口６ａを開放したときには、図１のように前方に回動して底壁４３の前端下面が収納用ハウジング６の底面壁２２の前縁上面に載置されて前方に傾斜した状態になるようにされている。この前方へ回動された状態の収納容器８における鉛直方向に対する傾斜角度α２は、収納用ハウジング６の前方開口６ａを開放させた状態の蓋体７における鉛直方向に対する傾斜角度α１に比べて小さく形成され、収納用ハウジング６を開放した蓋体７の回動先端とカウンター３の前縁との間にできる出し入れ口Ｂの略中央に向けて、前方に回動した収納容器８の上方開口８ａを向けることができるようにされているのであり、蓋体７及びカウンター３の前縁に邪魔されずに出し入れ口Ｂから収納物を収納容器８に出し入れできるようにされている。
【００２６】
詳しくは、本例では、蓋体７で収納用ハウジング６の前方開口６ａを閉塞したときに、収納容器８が上方開口８ａの向きが鉛直面よりも多少前方に傾斜するような姿勢で収納用ハウジング６の背面壁２０と蓋体７の正面壁３４とで挟持されているのであり、つまり、収納容器８はその重心が枢支位置よりも前方に位置された状態で収納用ハウジング６と蓋体７との間に収納されているのであり、蓋体７で収納用ハウジング６の前方開口６ａを開放したときには収納容器８は自然に前方に回動するようにされている。これによると、蓋体７で収納用ハウジング６の前方開口６ａを開放したときには常に収納容器８の上方開口８ａを出し入れ口Ｂに臨ませることができ、収納物の収納容器８への出し入れが簡単に行えるようにされているのである。また、収納用ハウジング６の軸部４６に軸支されるのが収納容器８の底壁４３の奥行き方向における中央部に設けた軸受部４５であるので、収納容器８を前後逆にしても収納用ハウジング６の軸部４６に軸支させて支障なく取り付けることができるのであって、良好な収納用ハウジング６への取付け性能も有している。なお、蓋体７が収納用ハウジング６の前方開口６ａを開放したときに収納容器８を自然に前方に回動させるには、重心位置が前方に位置する収納容器８を用いたり、収納容器８と収納用ハウジング６の軸支部分を後方に位置させることでも行うことができる。更に言うと、蓋体７が収納用ハウジング６の前方開口６ａを開放したときに収納容器８が自然に前方に回動するものでなくてもよく、たとえば収納容器８自身や収納容器８に収納した収納物にかけた使用者の手によって収納容器８を前方に回動させるものでもよい。
【００２７】
上述のように本例のキッチンキャビネット１は、従来のように幕板５０を設けることを行わないために、シンク収納部９におけるシンク４の前側部位においてシンク４の前面壁４ａからキャビネット本体２の前面開口を経てカウンター３の前縁に至る空所５を得ることができ、そして、この空所５に収納ユニット１９を配設させて収納スペースＳとして利用し、シンク４で直接使用する比較的厚みのある洗剤ボトル等の収納物を収納可能にしたことで、シンク４の使い勝手が向上されているのであり、更に、空所５に配設させた収納ユニット１９にあっては、収納物を挿入する上方開口８ａを有する収納容器８が、蓋体７が収納用ハウジング６の前方開口６ａを開口したときに、蓋体７の回動先端とカウンター３の前縁との間にできる出し入れ口Ｂに向けてその上方開口８ａを臨ませるように回動可能に設けられているから、出し入れ口Ｂから容易に収納物を収納容器８に出し入れできるのであり、シンク４、ひいてはキッチンキャビネット１の使い勝手が大幅に向上されているのである。
【００２８】
なお、上記実施形態では、蓋体７の収納用ハウジング６に対する回動構造としては軸部２７と軸受部４１で構成される軸支構造が用いられているが、この軸支構造に代えて図示はしないが通常一般に用いられるリンク機構を用いてもよく、この場合の弾性部材１０としては蓋体７を閉塞する方向にリンクを付勢するようなバネ材を用いることも好ましい。
【図面の簡単な説明】
【００２９】
【図１】本発明の実施の形態の例であり、蓋体が収納用ハウジングを開放した状態のキッチンキャビネットの要部の側断面図である。
【図２】同上の蓋体が収納用ハウジングを閉塞した状態のキッチンキャビネットの要部の側断面図である。
【図３】（ａ）は同上のキッチンキャビネットの全体正面図であり、（ｂ）は（ａ）の上面図であり、（ｃ）は（ａ）の側面図であり、（ｄ）は（ａ）のＡ−Ａ線断面図である。
【図４】従来技術の例のキッチンキャビネットの側断面図である。
【符号の説明】
【００３０】
１  キッチンキャビネット
２  キャビネット本体
３  カウンター
４  シンク
４ａ  前面壁
５  空所
６  収納用ハウジング
６ａ  前方開口
７  蓋体
８  収納容器
８ａ  上方開口
９  シンク収納部
１０  弾性部材
２０  背面壁
Ｂ  出し入れ口
【図１】
2006334249.tif 000003
【図２】
2006334249.tif 000004
【図３】
2006334249.tif 000005
【図４】
2006334249.tif 000006